(57)【特許請求の範囲】
【請求項１】
貫通孔を有する絶縁スペーサの両面に、導電性球体をその内部に転動自在に収容した中空凸部と該凸部の突出方向とは反対の方向に突出する断面弓形ないし円弧状の突起部とをそれぞれ有する第１の金属板電極及び第２の金属板電極を、それぞれの中空凸部の内部が前記絶縁スペーサの貫通孔を通して互いに相手方の金属板電極の突起部と対向するようにそれぞれ固着してなり、静止状態時には前記導電性球体のいずれか一方又は双方が前記第１金属板電極と前記第２金属板電極の双方に常時接触して該金属板電極相互を導通状態にし、振動状態時には前記導電性球体のいずれか一方又は双方が前記金属板電極双方に対して接触状態になったり、該導電性球体の双方が該金属板電極双方に対して非接触状態になったりして該金属板電極相互の導通、非導通を繰り返すようにしたことを特徴とする振動検出センサ。
【請求項２】
貫通孔を有する絶縁スペーサの両面に、導電性球体をその内部に転動自在に収容した中空凸部と平面部分とをそれぞれ有する第１の金属板電極及び第２の金属板電極を、それぞれの中空凸部の内部が前記絶縁スペーサの貫通孔を通して互いに相手方の金属板電極の平面部分と対向するようにそれぞれ固着してなり、静止状態時には前記導電性球体のいずれか一方又は双方が前記第１金属板電極と前記第２金属板電極の双方に常時接触して該金属板電極相互を導通状態にし、振動状態時には前記導電性球体のいずれか一方又は双方が前記金属板電極双方に対して接触状態になったり、該導電性球体の双方が該金属板電極双方に対して非接触状態になったりして該金属板電極相互の導通、非導通を繰り返すようにしたことを特徴とする振動検出センサ。
【請求項３】
略長方形の金属平板の中心点より一方の短辺側に寄った部位に、該平板の一方の面側へ突出する中空凸部を設けると共に、該中心点より他方の短辺側に寄った部位に、該平板の他方の面側へ突出する前記中空凸部より高さの低い断面弓形ないし円弧状の突起部を設け、該中空凸部の内部に導電性球体を転動自在に収納した第１の金属板電極及び第２の金属板電極を、第１の貫通孔及び第２の貫通孔を有する絶縁スペーサの両面に、前記第１金属板電極の中空凸部の内部が該スペーサの第１貫通孔を通して前記第２金属板電極の突起部と、該第２金属板電極の中空凸部の内部が該スペーサの第２貫通孔を通して該１金属板電極の突起部とそれぞれ対向するように固着してなり、静止状態時には前記導電性球体のいずれか一方又は双方が前記第１金属板電極と前記第２金属板電極の双方に常時接触して該金属板電極相互を導通状態にし、振動状態時には前記導電性球体のいずれか一方又は双方が前記金属板電極双方に対して接触状態になったり、該導電性球体の双方が該金属板電極双方に対して非接触状態になったりして該金属板電極相互の導通、非導通を繰り返すようにしたことを特徴とする振動検出センサ。
【請求項４】
請求項３に記載の振動検出センサにおいて、前記第１金属板電極及び前記第２金属板電極の各突起部を、突起部に代えて、それぞれ平面部分としたことを特徴とする振動検出センサ。
【請求項５】
請求項１に記載の振動検出センサにおいて、前記第１金属板電極及び前記第２金属板電極の各中空凸部の断面形状が円形の開口部を有する切頭円錐形又は略半球状の形状を呈していることを特徴とする振動検出センサ。
【請求項６】
各導電性球体がそれぞれ同一径を有するステンレス球、タングステン球又は鋼球であって、それぞれの表面を金メッキ処理したものからなることを特徴とする請求項１から５までのいずれか１項に記載の振動検出センサ。
【発明の詳細な説明】
【０００１】
【発明の属する技術分野】
本発明は振動検出センサに係り、より詳細には、精密機械、家電機器又は産業機器等に組み込んで機器の振動や傾斜を検出するセンサに関する。
【０００２】
【従来の技術】
従来の振動検出センサの一例として万歩計に使用されているものがある。これは、例えば、絶縁性のベース（基盤）上面の略中央にスプリングの一端側を固定し、該スプリングが該ベース上面に対し垂直になるように取り付け、該スプリングの他端（先端）側には円柱状であって中空の形状の導体を固定する。上記導体とスプリングとで一つの電極が形成される。
従って、本センサに振動が加わった場合、スプリングが水平面方向等に揺れ、該スプリング先端の前記導体も揺れる。このことから、この電極は可動電極といえる。一方、前記ベース上面から垂直方向であって、前記可動電極を形成するスプリングの内部及び中空形状の導体の中空部分を貫通するように棒状の電極を設ける。この電極は振動に対し揺れることのない固定電極である。このように、本センサはその要部が棒状の固定電極と、該固定電極を囲むように設けてなる可動電極とで形成されるので、構造が複雑化し、組立てが容易でないという問題点を有している。。
【０００３】
本センサに振動が加わらない静止状態にあっては、前記可動電極と固定電極とは接触することなくオープン（非導通）状態である。なお、この状態を一般にはノーマルオープンと称している。これに対し、本センサに振動が加わった場合、上述のように可動電極が揺れ、固定電極と接触したり、又は非接触の状態になる。接触状態は可動電極と固定電極とがクローズ（導通）状態になることを意味する。従って、可動電極と固定電極との間の上記導通状態及び非導通状態を電気信号として取り出すようにすれば本センサに加わる振動を検出できる。
【０００４】
【発明が解決しようとする課題】
しかしながら、前述の振動検出センサはその構造から、組立が容易でないばかりでなく、水平方向（対地）、換言すれば東西南北の方向の振動に対しては敏感に応動する（揺れる）が垂直方向の振動に対しては応動が鈍いという欠点がある。従って、構造が簡単で組立が容易であると共に、水平方向並びに垂直方向のあらゆる方向の振動に対し応動し得るセンサが実現できれば好都合である。本発明はこのような観点からなされたものであり、主要部品としての電極の共通化、構造の簡素化及び組立の簡易化を図ることができるとともに、水平方向並びに垂直方向のあらゆる方向の振動に対し敏感に応動することができるようにした振動検出センサを提供することを目的とするものである。
【０００５】
【課題を解決するための手段】
上記目的を達成するために、本発明に係る振動検出センサは、貫通孔を有する絶縁スペーサの両面に、導電性球体をその内部に転動自在に収容した中空凸部と該凸部の突出方向とは反対の方向に突出する断面弓形ないし円弧状の突起部とをそれぞれ有する第１の金属板電極及び第２の金属板電極を、それぞれの中空凸部の内部が前記絶縁スペーサの貫通孔を通して互いに相手方の金属板電極の突起部と対向するようにそれぞれ固着してなり、静止状態時には前記導電性球体のいずれか一方又は双方が前記第１金属板電極と前記第２金属板電極の双方に常時接触して該金属板電極相互を導通状態にし、振動状態時には前記導電性球体のいずれか一方又は双方が前記金属板電極双方に対して接触状態になったり、該導電性球体の双方が該金属板電極双方に対して非接触状態になったりして該金属板電極相互の導通、非導通を繰り返すようにしたことを特徴とするものである。
【０００６】
また、本発明に係る振動検出センサは、貫通孔を有する絶縁スペーサの両面に、導電性球体をその内部に転動自在に収容した中空凸部と平面部分とをそれぞれ有する第１の金属板電極及び第２の金属板電極を、それぞれの中空凸部の内部が前記絶縁スペーサの貫通孔を通して互いに相手方の金属板電極の平面部分と対向するようにそれぞれ固着してなり、静止状態時には前記導電性球体のいずれか一方又は双方が前記第１金属板電極と前記第２金属板電極の双方に常時接触して該金属板電極相互を導通状態にし、振動状態時には前記導電性球体のいずれか一方又は双方が前記金属板電極双方に対して接触状態になったり、該導電性球体の双方が該金属板電極双方に対して非接触状態になったりして該金属板電極相互の導通、非導通を繰り返すようにしたことを特徴とするものである。
【０００７】
さらに、本発明に係る振動検出センサは、略長方形の金属平板の中心点より一方の短辺側に寄った部位に、該平板の一方の面側へ突出する中空凸部を設けると共に、該中心点より他方の短辺側に寄った部位に、該平板の他方の面側へ突出する前記中空凸部より高さの低い断面弓形ないし円弧状の突起部を設け、該中空凸部の内部に導電性球体を転動自在に収納した第１の金属板電極及び第２の金属板電極を、第１の貫通孔及び第２の貫通孔を有する絶縁スペーサの両面に、前記第１金属板電極の中空凸部の内部が該スペーサの第１貫通孔を通して前記第２金属板電極の突起部と、該第２金属板電極の中空凸部の内部が該スペーサの第２貫通孔を通して該１金属板電極の突起部とそれぞれ対向するように固着してなり、静止状態時には前記導電性球体のいずれか一方又は双方が前記第１金属板電極と前記第２金属板電極の双方に常時接触して該金属板電極相互を導通状態にし、振動状態時には前記導電性球体のいずれか一方又は双方が前記金属板電極双方に対して接触状態になったり、該導電性球体の双方が該金属板電極双方に対して非接触状態になったりして該金属板電極相互の導通、非導通を繰り返すようにしたことを特徴とするものである。
【０００８】
また、本発明に係る振動検出センサは、請求項３に記載のものにおいて、前記第１金属板電極及び前記第２金属板電極の各突起部を、突起部に代えて、それぞれ平面部分としたことを特徴とするものである。
【０００９】
そしてまた、本発明に係る振動検出センサは、請求項１に記載のものにおいて、前記第１金属板電極及び前記第２金属板電極の各中空凸部の断面形状が円形の開口部を有する切頭円錐形又は略半球状の形状を呈していることを特徴とするものである。
【００１０】
さらにまた、本発明に係る振動検出センサは、上記いずれかのものにおいて、各導電性球体がそれぞれ同一径を有するステンレス球、タングステン球又は鋼球であって、それぞれの表面を金メッキ処理したものからなることを特徴とするものである。
【００１１】
【発明の実施の形態】
以下、発明の実施の形態をその一実施例を示す図面を参照して説明する。
最初に、本発明の一実施例としての振動検出センサの構成について図１及び２を参照して説明する。図面において、１は第１の金属板電極であり、該金属板電極１は、略長方形をした金属平板の中心点より一方の短辺側へ寄った部位に、該平板の一方の面側（下面側）へ突出させた中空凸部１ａの突出方向とは反対の方向（上方）に突出する高さの低い断面略弓形の突起部１ｂを設けてなるものである。上記中空凸部１ａは、図１及び２に示すように、円形の開口部、該円形開口部の直径より小径の頂壁部及び周壁部を有し、切頭円錐形の帽体状に形成されており、上記突起部１ｂの高さｈ１は該中空凸部１ａの深さｄ１より著しく低くされている。
【００１２】
符号２は上記第１の金属板電極１と同一の構成を有する第２の金属板電極である。すなわち、該第２の金属板電極２は、略長方形をした金属平板の中心点より一方の短辺側へ寄った部位に、該平板の一方の面側（上面側）へ突出させた中空凸部２ａを設けると共に、他方の短辺側へ寄った部位に該中空凸部２ａの突出方向とは反対の方向（下方）に突出する高さの低い断面略弓形の突起部２ｂを設けてなるものである。上記中空凸部２ａ及び突起部２ｂの形状等も第１の金属板電極１のそれと同様である。各金属板電極１、２の中空凸部１ａ、２ａの形状は、図１、２及び３に示す形状（切頭円錐形）に代えて、略中空半球状としてもよい。略中空半球状としても切頭円錐形と同等の効果が得られるからである。３は貫通孔を有する所要板厚の絶縁スペーサであり、第１及び第２の金属板電極１、２間に狭着される。この絶縁スペーサ３は、図示の例にあっては、両金属板電極１、２と同様に略長方形に形成されていて、その中心点を挟んで第１の貫通孔３ａと第２の貫通孔３ｂとが設けられている。これら貫通孔３ａ、３ｂは相互に連通していても何等差し支えないが、それぞれの直径Ｄ１、Ｄ２は中空凸部１ａ、２ａの開口部の直径と少なくとも同じか、またはやや大きめにすることが望ましい。４は第１の金属板電極１の中空凸部１ａの内部に転動自在に収容された第１の導電性球体、５は第２の金属板電極２の中空凸部２ａの内部に転動自在に収容された第２の導電性球体であり、これら導電性球体の大きさは双方とも同じである。
【００１３】
上記絶縁性スペーサ３を間にし、その一方の面に第１の金属板電極１を、他方の面に第２の金属板電極２をそれぞれ接着剤等で固着する。このように固着するに当たっては、第１の金属板電極１の中空凸部１ａ、絶縁スペーサ３の第１の貫通孔３ａ及び第２の金属板電極２の突起部２ｂの各中心が一致するようにする。同様に第１の金属板電極１の突起部１ｂ、絶縁スペーサ３の第２の貫通孔３ｂ及び第２の金属板電極２の中空凸部２ａの各中心が一致するようにする。つまり、各金属板電極１、２の各中空凸部１ａ、２ａ、各突起部１ｂ、２ｂ及び絶縁性スペーサ３の各貫通孔３ａ、３ｂそれぞれはこの位置関係になるように設ける。上記固着により、第１の金属板電極１の中空凸部１ａの内部と前記スペーサ３の第１の貫通孔３ａを介した第２の金属板電極２の突起部２ｂとで空間（以下、第１の空間）が形成される。同様に、第２の金属板電極２の中空凸部２ａの内部と前記スペーサ３の第２の貫通孔３ｂを介した第１の金属板電極１の突起部１ｂとで空間（以下、第２の空間）が形成される。この第１の空間に第１の導電性球体４が第２の空間に第２の導電性球体５がそれぞれ収納されている。
【００１４】
前記導電性球体４、５については、金属板電極１、２との接触性を良くするために比重の大きい材質のものを使用することが好ましい。この観点から、本センサにおいてはステンレス球、タングステン球又は鋼球としている。また、その表面はいずれのものについても金メッキ処理する。図３は完成状態の振動検出センサを表すもので、同図（Ａ）は図１のＡ−Ａ′線による縦断正面図であり、同図（Ｂ）は図１のＢ方向から見た上面図である。なお、両図の各符号は図１の符号と一致させてある。図示のように、前述の第１の空間６には第１の導電性球体４が収納され、第２の空間７には第２の導電性球体５が収納されている。そして、第１の導電性球体４及び第２の導電性球体５はそれぞれ別個独立のため互いに無関係に転動する。従って、各空間内の導電性球体の位置関係も互いに無関係となる。そこで、本実施例においては動作説明の便宜から各導電性球体の位置を図示のようにした。即ち、第１の空間６の第１の導電性球体４は第１の金属板電極１とは接触状態にあるが第２の金属板電極２と非接触状態であり、従って、両電極間は非導通状態であることを示す。
【００１５】
これに対し、第２の空間７内の第２の導電性球体５は第１の金属板電極１と第２の金属板電極２の双方と接触状態にあり、従って、両電極間は導通状態であることを示す。また、図３（Ａ）が水平位置（対地）の状態とし、且つ、振動等のない静止状態にあるとした場合、第２の導電性球体５は、その転動性及び第１の金属板電極１の突起部１ｂの傾斜により該突起部１ｂの中心位置にとどまることはなく、必ず第２の金属板電極２の中空凸部２ａの内面のいずれかの個所と接触し、第１の金属板電極１と第２の金属板電極２とを導通状態にする。このように、突起部１ｂは導電性球体５が中心付近にとどまることを防止する役割を果たすものであり、突起部１ｂを設けた理由である。このことは突起部２ｂについても同様である。なお、上記突起部１ｂ、２ｂについては本センサの必須条件としなくてもよく、平面としてもよい。この場合、導電性球体の転動性が低下することは否定できず、このために本センサが完全水平位置にある状態下にあっては原理的には導電性球体５が第２の金属板電極２と非接触になる状態があり得る。しかし、本センサは後述するように振動や傾斜が加わるような機器に使用するものであり、完全な水平位置で長時間静止する確率は極めて低く、実用上問題ないと考えられるからである。
【００１６】
一方、上記条件下での第１の導電性球体４については中空凸部１ａの底面に位置することとなってこれと対向する第２の金属板電極２の突起部２ｂと接触することはなく、従って、第１の金属板電極１と第２の金属板電極２とは非導通状態となる。但し、図３（Ａ）において、上下関係を逆（１８０度回転）にした場合には上述の導通状態、非導通状態は入れ替わる。この場合、突起部２ｂが導通状態を確実なものとする役割を果たすことになる。なお、一方が非導通状態であっても他方が導通状態であれば第１の金属板電極１と第２の金属板電極２とは導通状態になることは説明するまでもない。また、本センサがある角度傾斜した状態（但し、振動は考慮せず）においては、中空凸部２ａが上側にある場合には第２の導電性球体５がその傾斜に応じて転動し、第１の金属板電極１と第２の金属板電極２とが必ず導通状態になり、突起部１ａが上側にある場合には第１の導電性球体４が同様にして転動し、第１の金属板電極１と第２の金属板電極２とが必ず導通状態になる。
【００１７】
また、本センサが図３（Ａ）の状態から右又は左に９０度回転した垂直方向の位置にある場合には、第１の導電性球体４及び第２の導電性球体５はその重力により下に下がる。また、各中空凸部１ａ、２ａには傾斜１ｃ、１ｄ、２ｃ、２ｄを設けている。この傾斜により各導電性球体４、５は転動し、突起部１ｂ、２ｂと必ず接する状態になる。これにより第１の導電性球体４及び第２の導電性球体５の双方により第１の金属板電極１と第２の金属板電極２とを必ず導通状態にする。以上説明のしたように、本センサが振動のない静止状態にある場合、その置かれた状態が水平位置、傾斜状態又は垂直状態のいずれにおいても第１の導電性球体４又は第２の導電性球体５のいずれかにより、又はその双方により第１の金属板電極１と第２の金属板電極２とを導通状態にする。なお、このような状態を一般にはノーマルクローズと称している。また、このノーマルクローズがどのような位置におかれても維持されることから本センサは無指向性といえる。
【００１８】
以上は振動のない静止状態であるが、次に、本センサに振動が加わった場合につき説明する。本センサはその簡単な構成から大幅に小型化することが可能であり、各導電性球体４、５の大きさも小さく、例えばその直径を約２ｍｍ程度にすることができる。従って、その重量も軽い。各導電性球体４、５がこのように小さくまた軽いことから本センサに振動が加わった場合、各導電性球体４、５は転動したり跳ねたりの状態になり、上述の常に導通状態（第１の金属板電極１と第２の金属板電極２）にあったものが振動に応じて瞬時的に導通状態又は非導通状態になる。つまり、スイッチにおけるチャタリング現象を起こす。このチャタリング現象は本センサがどのような位置（水平、傾斜又垂直等）に置かれても発生する。何故なら、前述のように第１の金属板電極１と第２の金属板電極２とは静止状態時にはいずれの位置においても導通状態にある。このことは、振動が加わった場合にはどの位置でもチャタリング現象を起こす前提条件が満たされていることを意味するからである。
【００１９】
以上から本発明に係る振動検出センサを換言すればチャタリング発生器といえ、チャタリングが発生するのは本センサに振動が加わったことを意味し、逆に、チャタリングが発生しないのは本センサが静止状態にあることを意味する。また、本センサがある静止位置からある角度動いた場合（傾斜等）、再び静止状態になるまでの過程においても各導電性球体４、５の転動性により一時的（又は瞬時的）に第１の金属板電極１と第２の金属板電極２とが非導通になる状態が発生する。従って、この一時的な非導通状態から本センサが動いたことが
判る。上述の振動にしろ、又は傾斜にしろ、物理的には本センサが動いたことを意味する。つまり、チャタリング現象の発生、又は一時的（又は瞬時的）な非導通状態の発生は本センサが静止状態から動いたことを意味する。または、逆にいって、チャタリング現象が発生することなく、第１の金属板電極１と第２の金属板電極２とが導通状態を継続している間は本センサが静止状態にあることを意味する。
【００２０】
従って、本発明に係る振動検出センサを一つの電気回路素子とし、第１の金属板電極１と第２の金属板電極２との導通状態を検出する装置を形成すれば本装置（即ち、本センサ）が動いたか又は静止状態にあるかを検出できる。このように、本振動検出センサは一つの電気回路素子として使用する。そのため、図示してないが、第１の金属板電極１及び第２の金属板電極２それぞれには所要の位置に回路接続用の引き出し端子又は引き出しリードを設ける。
【００２１】
次に、本発明に係る振動検出センサの応用例につき説明する。近年、わが国においては高齢化社会による老人問題が重要な課題になっている。そこで、応用例の一つに老人ホームにおける老人の監視に使用することが考えられる。即ち、本振動検出センサを一つの電気回路素子とした無線監視装置（発信装置）を構成する。本振動検出センサは、前記のように小型化が可能である。例えば、図１において、Ｌａを約１１ｍｍ、Ｌｂを約６ｍｍ、導電性球体の直径を約２ｍｍ程度で作ることができる。従って、本振動検出センサを使用して微弱電波を発する超小型の無線発信装置を作り、これを老人の腕、又は脚等のような頻繁に動かす箇所に携帯させる。一方、この発信装置に対する受信装置を老人ホームの中央監視室等に設置しておく。この場合、老人は多人数のため、各発信装置は老人を特定出来るようようにする。即ち、発信周波数をその発信装置ごとに変える、又は多重通信技術を利用する等が考えられる。
【００２２】
老人の健康に異常がない場合には、必ず発信装置（即ち、振動検出センサ）は手足等の動きに従い動く。但し、一時的に静止している期間はある。そして、この静止期間は日中と睡眠をとる夜間とでは異なる。そこで、タイマ機能を本発信装置に持たせておき、一定時間以上動きがない場合を異常事態発生として誤検出を防止するようにする。この結果、ある時間以上本発信装置が静止状態、つまり、振動検出センサにおける第１の金属板電極１及び第２の金属板電極２とが導通状態が続いた場合にはその老人の動きが停止したことを意味し、同老人に異変が生じたことを発見できる。前記中央監視室等では多人数の老人の集中監視が可能であり、異変発生を即刻発見できる。上記の例は多人数を扱う老人ホームとしたが、家庭に居住する老人にも利用できることは説明するまでもない。
【００２３】
以上が一つの応用例であるが、以下の応用例もある。例えば、近年、わが国は海外旅行ブームである。しかし、国によっては旅行カバン等の置き引きや盗難車故が多い。そこで、本振動検出センサを利用した超小型の無線発信装置をタグとともに旅行カバンに取り付けておき、同無線発信装置が発する無線信号を受信する受信装置（警告音を発する等）を旅行者が携帯するようにする。これにより、窓口で手続中に旅行カバンが置き引き等されそうになっても警告音等で直ちに異変を察知でき、盗難を未然に防止できる。このように、本振動検出センサはある物体が静止状態にあるか、又は動いたかの検出に有用なものである。
【００２４】
【発明の効果】
以上説明したように本発明によれば、主要部品としての電極の共通化、構造の簡素化及び組立の簡易化を図ることができると共に、水平方向並びに垂直方向のあらゆる方向の振動に対し敏感に応動することができるようにした振動検出センサを得ることができる。即ち、本発明に係る振動検出センサが静止状態にある場合には、同センサが水平、垂直又は傾斜等のいかなる位置状態にあっても第１の金属板電極と第２の金属板電極とを導通状態にする。つまり、無指向性で導通状態を維持する。そして、この静止状態に対し振動が加わった場合にはその振動方向の如何を問わずチャタリング現象が発生し、傾斜が加わった場合には一時的又は瞬時的に導通状態が非導通状態になる。従って、本振動検出センサを一電気回路素子として使用することで振動や傾斜が加わったことを電気的に検出することができる。本振動検出センサの応用例は多岐にわたるが、広義に捉えれば、ある物体が動いたことを検出するセンサ装置に適するものである。その具体的応用例としては実施例において説明したように、老人ホームにおける老人の監視装置、又は旅行カバンにタグとともに取り付けて盗難を防止する装置等がある。このように、本発明にかかる振動検出センサは、ある物体が静止状態にあるか、又は動いたかにつき監視する装置やシステム等に有効なものといえる。
【図面の簡単な説明】
【図１】本発明による振動検出センサの一実施例を示す要部分解斜視図である。
【図２】（Ａ）は第１の金属板電極１の上面図、（Ｂ）は同電極の正面図である。
【図３】（Ａ）は完成状態を示す上記実施例の縦断正面図、（Ｂ）はその上面図である。
【符号の説明】
１            第１の金属板電極
２            第２の金属板電極
１ａ、２ａ    中空凸部
１ｂ、２ｂ    突起部
１ｃ、１ｄ、２ｃ、２ｄ    傾斜
３            絶縁性スペーサ
３ａ、３ｂ    貫通孔
４            第１の導電性球体
５            第１の導電性球体
６            第１の空間
７            第２の空間
【図１】
0003581864.tif 000002
【図２】
0003581864.tif 000003
【図３】
0003581864.tif 000004